(57)【要約】【課題】体液中における所定成分の濃度を所定の濃度以上に制御する。【解決手段】本点滴注射の実施方法は、被投与者への点滴注射による所定成分を含む輸液の投与を開始する第１の工程と、前記輸液が投与されている前記被投与者から体液を採取する第２の工程と、採取した前記体液中における前記所定成分の濃度を測定する第３の工程と、前記体液中の所定成分の濃度に応じて前記輸液中の前記所定成分の濃度を変更する第４の工程と、を含む。【選択図】図４
2019107446.tif 000002
【特許請求の範囲】
【請求項１】
点滴注射の実施方法であって、
被投与者への点滴注射による所定成分を含む輸液の投与を開始する第１の工程と、
前記輸液が投与されている前記被投与者から体液を採取する第２の工程と、
採取した前記体液中における前記所定成分の濃度を測定する第３の工程と、
前記体液中の所定成分の濃度に応じて前記輸液中の前記所定成分の濃度を変更する第４の工程と、を含む、
点滴注射の実施方法。
【請求項２】
前記第４の工程において、前記所定成分を所定量だけ前記輸液中に追加する、
請求項１に記載の点滴注射の実施方法。
【請求項３】
前記点滴注射では、前記被投与者の体液中における前記所定成分の目標濃度が定められており、
前記第４の工程では、被投与者の体液中における前記所定成分の濃度と前記目標濃度との差と前記輸液中に追加する前記所定成分の量とを対応付けた検量線および測定した前記体液中の所定成分の濃度に基づいて決定した量の前記所定成分を前記輸液中に追加する、
請求項１に記載の点滴注射の実施方法。
【請求項４】
前記第４の工程において、前記所定成分の濃度の変更は、
前記所定成分を貯留する貯留部と、
前記貯留部と前記輸液が貯留された点滴容器とを前記所定成分が流通可能に接続する接続部と、
前記体液中の所定成分の濃度に応じて前記貯留部の容積を縮小することで、前記貯留部に貯留された前記所定成分を前記接続部を介して前記点滴容器に注入する注入部と、を有する注入器によって行われる、
請求項１から３のいずれか一項に記載の点滴注射の実施方法。
【請求項５】
前記点滴注射の終了を検知する第５の工程をさらに含み、
前記第２の工程では、前記点滴注射の終了を検知してから一定のタイミングで前記被投与者から前記体液が採取される、
請求項１から４のいずれか一項に記載の点滴注射の実施方法。
【請求項６】
前記第２の工程において、前記点滴注射の終了を検知してから一定のタイミングで前記被投与者の体を穿刺具によって穿刺して前記体液を採取する、
請求項５に記載の点滴注射の実施方法。
【請求項７】
前記第２の工程における前記穿刺具は、
所定方向に射出可能な穿刺部と、
前記穿刺部から前記所定方向に位置するように前記被投与者の被穿刺箇所を保持する保持部と、
前記穿刺部の射出を抑止する抑止部と、
前記点滴注射の終了を検知してから一定時間後に前記抑止部による抑止を解除して前記穿刺部を前記被穿刺箇所に向けて射出させる解除部と、を有する、
請求項６に記載の点滴注射の実施方法。
【請求項８】
前記所定成分はアスコルビン酸である、
請求項１から７のいずれか一項に記載の点滴注射の実施方法。
【請求項９】
前記体液は前記被投与者の血液である、
請求項１から８のいずれか一項に記載の点滴注射の実施方法。
【請求項１０】
点滴注射の実施装置であって、
被投与者への点滴注射による所定成分を含む輸液の投与を行う点滴部と、
前記輸液が投与されている前記被投与者から体液を採取する採取部と、
採取した前記体液中における前記所定成分の濃度を測定する測定部と、
前記体液中の所定成分の濃度に応じて前記輸液中の前記所定成分の濃度を変更する変更部と、を備える、
点滴注射の実施装置。
【請求項１１】
前記変更部は、前記所定成分を所定量だけ前記輸液中に追加する、
請求項１０に記載の点滴注射の実施装置。
【請求項１２】
前記点滴注射では、前記被投与者の体液中における前記所定成分の目標濃度が定められており、
前記変更部は、被投与者の体液中における前記所定成分の濃度と前記目標濃度との差と前記輸液中に追加する前記所定成分の量とを対応付けた検量線および測定した前記体液中の所定成分の濃度に基づいて決定した量の前記所定成分を前記輸液中に追加する、
請求項１０に記載の点滴注射の実施装置。
【請求項１３】
前記変更部は、
前記所定成分を貯留する貯留部と、
前記貯留部と前記輸液が貯留された点滴容器とを前記所定成分が流通可能に接続する接続部と、
前記体液中の所定成分の濃度に応じて前記貯留部の容積を縮小することで、前記貯留部に貯留された前記所定成分を前記接続部を介して前記点滴容器に注入する注入部と、有する、
請求項１０から１２のいずれか一項に記載の点滴注射の実施装置。
【請求項１４】
所定成分を被投与者に投与する点滴注射の終了を検知する検知部をさらに備え、
前記採取部は、前記点滴注射の終了を検知してから一定のタイミングで前記被投与者から前記体液を採取する、
請求項１０から１３のいずれか一項に記載の点滴注射の実施装置。
【請求項１５】
前記採取部は、前記点滴注射の終了を検知してから一定のタイミングで前記被投与者の体を穿刺具によって穿刺して前記体液を採取する、
請求項１４に記載の点滴注射の実施装置。
【請求項１６】
前記穿刺具は、
所定方向に射出可能な穿刺部と、
前記穿刺部から前記所定方向に位置するように前記被投与者の被穿刺箇所を保持する保持部と、
前記穿刺部の射出を抑止する抑止部と、
前記点滴注射の終了を検知してから一定時間後に前記抑止部による抑止を解除して前記穿刺部を前記被穿刺箇所に向けて射出させる解除部と、を有する、
請求項１５に記載の点滴注射の実施装置。
【請求項１７】
前記体液は前記被投与者の血液である、
請求項１０から１６のいずれか一項に記載の点滴注射の実施装置。
【請求項１８】
前記所定成分はアスコルビン酸である、
請求項１０から１７のいずれか一項に記載の点滴注射の実施装置。
【発明の詳細な説明】
【技術分野】
【０００１】
本発明は、点滴注射の実施方法および点滴注射の実施装置に関する。
【背景技術】
【０００２】
アスコルビン酸（ビタミンＣ）は食事により摂取され、小腸より吸収され体内の臓器および組織へ広く分布する。生化学的にはコラーゲンの合成、カルニチンの合成、副腎皮質ホルモンの合成、カテコールアミンの合成、過酸化脂質の分解、活性酸素の分解などに関与しており、生体内で重要な役割を果たしている。近年では、ビタミンＣの強い還元性による、抗がん作用、免疫力増強、そして、美肌、美白効果が着目され、高濃度ビタミンＣ点滴療法などに応用されている。高濃度ビタミンＣ点滴療法に開する文献として、例えば、以下の特許文献１および非特許文献１が挙げられる。
【先行技術文献】
【特許文献】
【０００３】
【特許文献１】特許第４１２４２１４号公報
【非特許文献】
【０００４】
【非特許文献１】「The Riordan IVC Protocol for Adjunctive Cancer Care Intravenous Ascorbate as a Chemotherapeutic and Biological Response Modifying Agent」、[online]、２０１３年２月、[平成２９年１０月１６日検索]、インターネット＜URL: http://www.doctoryourself.com/RiordanIVC.pdf＞
【発明の概要】
【発明が解決しようとする課題】
【０００５】
高濃度ビタミンＣ点滴療法では、点滴注射によってアスコルビン酸を含む輸液が患者に投与される。そして、点滴注射終了後に患者から採血した血液中のアスコルビン酸の濃度が測定され、測定結果を基に次回の高濃度ビタミンＣ点滴療法で投与される輸液中のアスコルビン酸の濃度が決定される。
【０００６】
点滴注射が終了してから血液中のアスコルビン酸の濃度が測定されるため、点滴注射を行っている間は、患者に投与している輸液中のアスコルビン酸の濃度が適切であるか判断できない。そのため、血液中のアスコルビン酸濃度を所定の濃度以上に制御することは困難となる。このような課題は高濃度ビタミンＣ点滴療法に限定されず、点滴注射によって投与される所定成分の体液中における濃度を所定の濃度以上に制御する場合に共通の課題となる。
【０００７】
そこで、開示の技術の１つの側面は、体液中における所定成分の濃度を所定の濃度以上に制御することを課題とする。
【課題を解決するための手段】
【０００８】
開示の技術の１つの側面は、次のような点滴注射の実施方法によって例示される。本点滴注射の実施方法は、被投与者への点滴注射による所定成分を含む輸液の投与を開始する第１の工程と、前記輸液が投与されている前記被投与者から体液を採取する第２の工程と、採取した前記体液中における前記所定成分の濃度を測定させる第３の工程と、前記体液中の所定成分の濃度に応じて前記輸液中の前記所定成分の濃度を変更する第４の工程と、を含む。開示の技術は、点滴注射の実施装置として把握することも可能である。
【発明の効果】
【０００９】
開示の技術は、体液中における所定成分の濃度を所定の濃度以上に制御することができる。
【図面の簡単な説明】
【００１０】
【図１】図１は、第１実施形態に係る点滴システムの構成の一例を示す図である。
【図２】図２は、補充装置の構成の一例を示す図である。
【図３】図３は、第１実施形態に係る点滴システムの処理ブロックの一例を示す図である。
【図４】図４は、第１実施形態に係る点滴システムの処理フローの一例を示す図である。
【図５】図５は、第２実施形態に係る点滴システムの構成の一例を示す図である。
【図６】図６は、検知装置の構成の一例を示す図である。
【図７】図７は、採取装置の全体概略図の一例である。
【図８】図８は、図７の丸印Ａの部分を平面視した図の一例である。
【図９】図９は、図７の丸印Ｂの部分を平面視した図の一例である。
【図１０】図１０は、第２実施形態に係る検知装置の処理ブロックの一例を示す図である。
【図１１】図１１は、第２実施形態に係る点滴システムの処理フローの一例を示す図である。
【図１２Ａ】図１２Ａは、カム機構によって穿刺部材を射出する構成の一例を示す第１の図である。
【図１２Ｂ】図１２Ｂは、カム機構によって穿刺部材を射出する構成の一例を示す第２の図である。
【図１３Ａ】図１３Ａは、ソレノイドアクチュエータによってストッパー部材を駆動する構成の一例を示す第１の図である。
【図１３Ｂ】図１３Ｂは、ソレノイドアクチュエータによってストッパー部材を駆動する構成の一例を示す第２の図である。
【発明を実施するための形態】
【００１１】
以下、実施形態について説明する。以下に示す実施形態の構成は例示であり、開示の技術は実施形態の構成に限定されない。
【００１２】
＜第１実施形態＞
（点滴注射の実施方法）
第１実施形態に係る点滴注射の実施方法は、
被投与者への点滴注射による所定成分を含む輸液の投与を開始する第１の工程と、
前記輸液が投与されている前記被投与者から体液を採取する第２の工程と、
採取した前記体液中における前記所定成分の濃度を測定する第３の工程と、
前記体液中の所定成分の濃度に応じて前記輸液中の前記所定成分の濃度を変更する第４の工程と、を含む。
【００１３】
（第１の工程）
第１の工程において、被投与者への点滴注射による所定成分を含む輸液の投与を開始する。点滴注射は、例えば、点滴装置によって行われる。点滴装置は、所定成分を含む輸液を貯留した点滴容器と、体内に留置される注射針と、容器と注射針とを接続し、内部を輸液が流通可能なチューブとを備える。容器に貯留された輸液は、チューブおよび注射針を介して、患者の体内に投与される。
【００１４】
（第２の工程）
第２の工程において、輸液が投与されている被投与者から体液を採取する。被投与者からの体液の採取では、採取装置が用いられる。採取装置は、例えば、穿刺具を備えており、穿刺具によって被投与者の体を穿刺することで、体液を採取する。採取装置は、例えば、被投与者の指先に取り付けられており、被投与者の指を穿刺して体液を採取してもよい。体液は、例えば、被投与者の血液である。
【００１５】
（第３の工程）
第３の工程において、所定成分を含む輸液が点滴注射によって投与されている被投与者の体液中における所定成分の濃度を測定する。所定成分の濃度は、例えば、バイオセンサが接続された測定装置によって測定される。所定成分を含む輸液が点滴注射によって投与されている被投与者から採取された体液がバイオセンサに点着される。体液が点着されたバイオセンサが測定装置に接続されると、測定装置は体液中の所定成分の濃度を測定する。所定成分は、例えば、アスコルビン酸である。
【００１６】
（第４の工程）
第４の工程において、第３の工程で測定した体液中の所定成分の濃度に応じて輸液中の所定成分の濃度を変更する。点滴容器には、例えば、所定成分が貯留された注入器が接続される。第４の工程では、例えば、測定した濃度が所定の濃度未満である場合、注入器が所定成分を点滴容器に注入することで、輸液中の所定成分の濃度を高くする。注入器が点滴容器に注入する所定成分の一回当たりの量を所定量に制限してもよい。このような構成とすることで、輸液中の所定成分の濃度が急激に変化することを抑制できる。また、例えば、被投与者の体液中における所定成分の目標濃度と被投与者の体液中における所定成分の濃度との差と輸液中に追加する所定成分の量とを対応付けた検量線および測定した体液中の所定成分の濃度に基づいて輸液中に追加する所定成分の量を決定してもよい。このような構成とすることで、患者の血液中の所定成分の濃度を速やかに所定の濃度とすることができる。
【００１７】
（注入器）
注入器は、
前記所定成分を貯留する貯留部と、
前記貯留部と前記輸液が貯留された点滴容器とを前記所定成分が流通可能に接続する接続部と、
前記体液中の所定成分の濃度に応じて前記貯留部の容積を縮小することで、前記貯留部に貯留された前記所定成分を前記接続部を介して前記点滴容器に注入する注入部と、を有する。
【００１８】
貯留部には、所定成分が貯留される。貯留部には、点滴容器に貯留される輸液中における所定成分の濃度よりも高い濃度の所定成分を含む薬液が貯留されてもよい。貯留部と点滴容器とは、接続部によって所定成分が流通可能に接続される。接続部は、例えば、チューブである。注入部は、貯留部の容積を縮小することで、貯留部に貯留された所定成分を接続部を介して点滴容器に注入する。貯留部は例えばシリンジである。注入部はシリンジ内を摺動するプランジャーを含み、プランジャーを駆動して貯留部の容積を縮小してもよい。また、貯留部は可撓性を有するように形成された容器であり、注入部は貯留部を圧迫することで貯留部の容積を縮小するものでもよい。貯留部の容積が縮小されることで、貯留された所定成分が接続部を介して点滴容器に注入される。注入される所定成分の量は、例えば、貯留部の容積をどの程度縮小するかによって制御できる。
【００１９】
（制御装置）
第１実施形態に係る点滴注射の実施方法は、例えば、コンピュータによって例示される制御装置によっても実行可能である。制御装置は、例えば、Central Processing Unit（
ＣＰＵ）とメモリとを備える情報処理装置である。ＣＰＵは、マイクロプロセッサユニット（ＭＰＵ）、プロセッサとも呼ばれる。ＣＰＵは、単一のプロセッサに限定される訳ではなく、マルチプロセッサ構成であってもよい。メモリはＣＰＵから直接アクセスされる記憶部として例示される。メモリは、Random Access Memory（ＲＡＭ）およびRead Only Memory（ＲＯＭ）を含む。制御装置は、ＣＰＵがメモリに記憶されたプログラムを実行することで、第１実施形態に係る点滴注射の実施方法を実現できる。また、第１実施形態に係る点滴注射の実施方法を実現する制御装置を搭載した装置は、点滴注射の実施装置ということができる。
【００２０】
上述した第１実施形態に係る点滴注射の実施方法について、以下図面を参照してさらに詳述する。以下では、高濃度ビタミンＣ点滴療法、すなわち、アスコルビン酸を点滴注射によって患者に投与する場合について説明する。患者は、「被投与者」の一例である。
【００２１】
図１は、第１実施形態に係る点滴システム１の構成の一例を示す図である。点滴システム１は、点滴装置１０、測定装置２０、補充装置３０および採取装置４０を含む。
【００２２】
点滴装置１０は、点滴容器１１、チューブ１２および注射針１３を含む。点滴容器１１は、輸液を貯留する容器である。輸液は、アスコルビン酸を含む。注射針１３は、患者の静脈内に留置される。注射針１３が留置された箇所には、医療用テープ１４が貼付されて注射針１３の脱落が抑制される。チューブ１２は中空形状に形成される。チューブ１２は、点滴容器１１の底部と注射針１３とを接続する。チューブ１２によって接続されることで、点滴容器１１に貯留された輸液は、チューブ１２および注射針１３を介して、患者の体内に投与される。点滴装置１０は、「点滴部」の一例である。点滴容器１１には、補充装置３０が中空形状に形成されたチューブ３１を介して接続される。点滴容器１１中の輸液には、チューブ３１を介して補充装置３０からアスコルビン酸が補充される。チューブ３１は、「接続部」の一例である。
【００２３】
測定装置２０は、患者から採取した血液中のアスコルビン酸の濃度を測定する。血液の採取には、例えば、患者の指先に取り付けられた採取装置４０が用いられる。採取装置４０は穿刺具を備えており、穿刺具によって患者の指先を穿刺することで血液を採取する。測定装置２０は、例えば、アスコルビン酸の濃度を測定可能なバイオセンサを含む。測定装置２０はＲＳ−２３２Ｃケーブルで補充装置３０と接続されており、測定装置２０は、ＲＳ−２３２Ｃケーブルを介して補充装置３０に測定結果を送信する。しかしながら、測定結果を送信する方式はＲＳ−２３２Ｃケーブルを介した方法に限定されず、無線通信であっても有線通信であってもよい。測定装置２０は、「測定部」の一例である。採取装置４０は、「採取部」の一例である。
【００２４】
補充装置３０は、点滴容器１１内の輸液よりも高濃度のアスコルビン酸を含む薬液を貯留しており、測定装置２０が測定した濃度に応じて薬液を点滴容器１１に注入する。図２は、補充装置３０の構成の一例を示す図である。図２において、注入器３６のプランジャー３６ｂの上端部３６ｂ１側を上、注入器３６の接続口３６ｄ側を下とする。以下、図２を参照して、補充装置３０の構成の一例について説明する。補充装置３０は、「変更部」の一例である。
【００２５】
補充装置３０は、制御基板３２、無線通信モジュール３３ａ、ＲＳ−２３２Ｃモジュール３３ｂ、ディスプレイ３４、押圧装置３５および注入器３６を備える。
【００２６】
無線通信モジュール３３ａは無線通信によって外部装置と通信するモジュールである。ＲＳ−２３２Ｃモジュール３３ｂは、ＲＳ−２３２Ｃの規格にしたがった通信ケーブルが接続される接続端子を含む。ＲＳ−２３２Ｃモジュール３３ｂの接続端子には、測定装置
２０からの接続ケーブルが接続される。ＲＳ−２３２Ｃモジュール３３ｂは、接続端子に接続されたＲＳ−２３２Ｃ規格にしたがった通信ケーブルを介して外部装置と通信するモジュールである。
【００２７】
ディスプレイ３４は、現在投与している輸液中のアスコルビン酸の濃度や、測定装置２０から受信した測定結果、点滴注射を開始してからの経過時間等の各種情報を表示する。
【００２８】
制御基板３２は、無線通信モジュール３３ａやＲＳ−２３２Ｃモジュール３３ｂを介して、外部装置と通信可能である。制御基板３２は、ＣＰＵおよびメモリを有する。制御基板３２は、ＣＰＵがメモリに記憶されたプログラムを実行することで、所望の処理を実現する。
【００２９】
注入器３６は、シリンジ３６ａ、プランジャー３６ｂ、ガスケット３６ｃ、接続口３６ｄを備える。シリンジ３６ａは上端が開口した円筒形状に形成されている。シリンジ３６ａ内には点滴装置１０の点滴容器１１に貯留された輸液よりも高い濃度のアスコルビン酸を含む薬液３７が貯留される。シリンジ３６ａの底部にはシリンジ３６ａの内外を連通する接続口３６ｄが設けられ、接続口３６ｄにはチューブ３１が接続される。プランジャー３６ｂは、一方の先端にガスケット３６ｃを有する棒状の部材である。プランジャー３６ｂは、シリンジ３６ａの上端の開口からガスケット３６ｃ側が薬液３７に向かうように挿入される。プランジャー３６ｂの上端部３６ｂ１は、押圧装置３５の腕部３５ｅの下側の面に接触する。ガスケット３６ｃは、シリンジ３６ａの内側面との隙間が無いように形成される。注入器３６では、プランジャー３６ｂの上端部３６ｂ１が接続口３６ｄに向けて押圧されると、プランジャー３６ｂがシリンジ３６ａの内側面に沿って下方に移動する。プランジャー３６ｂが下方に移動することで、シリンジ３６ａの容積が縮小する。シリンジ３６ａの容積が縮小することで、シリンジ３６ａ内の薬液３７が接続口３６ｄ、チューブ３１を介して点滴装置１０の点滴容器１１に注入される。シリンジ３６ａは、「貯留部」の一例である。チューブ３１は、「接続部」の一例である。押圧装置３５およびプランジャー３６ｂは、「注入部」の一例である。
【００３０】
押圧装置３５は、注入器３６のプランジャー３６ｂの上端部３６ｂ１を下方に向けて押圧する装置である。押圧装置３５は、ステッピングモーター３５ａ、歯車３５ｂ、歯車３５ｃ、ネジ軸３５ｄおよび腕部３５ｅを備える。ステッピングモーター３５ａは、制御基板３２のＣＰＵからの指示によって、１回あたり所定量だけ回転するモーターである。ステッピングモーター３５ａの回転軸には、歯車３５ｃとかみ合う歯車３５ｂが設けられる。歯車３５ｃから上方に向けて棒状の部材であり、外周にネジ山を有するネジ軸３５ｄが形成される。腕部３５ｅは、ネジ軸３５ｄと螺合するネジ穴を有する板状の部材であり、注入器３６のプランジャー３６ｂの上端部３６ｂ１に上側から接触するように配置される。押圧装置３５では、ステッピングモーター３５ａの回転による駆動力は歯車３５ｂから歯車３５ｃに伝達される。歯車３５ｃを介して伝達された駆動力によってネジ軸３５ｄが回転する。ネジ軸３５ｄが回転すると、ネジ軸３５ｄと螺合する腕部３５ｅが下方に移動する。下方に移動する腕部３５ｅによって押圧されることで、注入器３６のプランジャー３６ｂが下方に移動する。ステッピングモーター３５ａの回転量が所定量であるため、プランジャー３６ｂの下方への移動量も所定量となる。注入器３６のプランジャー３６ｂが所定量下がることで、シリンジ３６ａの容積が所定量減少する。シリンジ３６ａの容積が所定量減少することで、所定量の薬液３７がチューブ３１を介して点滴容器１１内に注入される。押圧装置３５およびプランジャー３６ｂは、「注入部」の一例である。
【００３１】
＜処理ブロック構成＞
図３は、第１実施形態に係る点滴システム１の処理ブロックの一例を示す図である。図３に例示される各処理ブロックは、制御基板３２のＣＰＵがメモリに記憶されたプログラ
ムを実行することで実現される。ただし、図３に例示される処理ブロックの少なくとも一部はハードウェア回路を含んでもよい。以下、図３を参照して、第１実施形態に係る点滴システム１の処理ブロックについて説明する。
【００３２】
記憶部１０３は、患者の血液中のアスコルビン酸の設定濃度を記憶する。設定濃度は、第１実施形態に係る高濃度ビタミンＣ点滴療法において、患者の血液中におけるアスコルビン酸の濃度の目標値となる値である。記憶部１０３は、例えば、制御基板３２の補助記憶装置に設定濃度を記憶する。設定濃度は、「目標濃度」の一例である。
【００３３】
受信部１０１は、測定装置２０によって測定された測定結果を無線通信モジュール３３ａまたはＲＳ−２３２Ｃモジュール３３ｂを介して受信する。受信部１０１は、受信した測定結果を制御部１０２に渡す。
【００３４】
制御部１０２は、受信部１０１から測定装置２０による測定結果を受け取る。制御部１０２は、記憶部１０３が記憶する設定濃度と受信部１０１から受け取った測定結果とに基づいて、患者の血液中のアスコルビン酸の濃度が設定濃度に達しているか否かを判定する。血液中のアスコルビン酸の濃度が設定濃度に達していない場合、制御部１０２は、押圧装置３５を駆動して、注入器３６に貯留された薬液３７を点滴装置１０の点滴容器１１に注入させる。上述の通り、ステッピングモーター３５ａの回転量は所定量に規制されるため、注入１回あたりのアスコルビン酸の濃度は一定となる。
【００３５】
図４は、第１実施形態に係る点滴システム１の処理フローの一例を示す図である。以下、図４を参照して、第１実施形態に係る点滴システム１の処理フローの一例について説明する。
【００３６】
Ｓ１では、点滴注射が開始される。Ｓ１の工程は、「第１の工程」の一例である。Ｓ２では、制御部１０２は、例えば、所定時間毎にメッセージやアラームを出力することで、患者の血液中のアスコルビン酸濃度の測定を促す。測定装置２０は、患者の血液中のアスコルビン酸の濃度を測定する。人体においては、血液が心臓から拍出されて心臓に戻るまでの時間は１分程度である。そこで、制御部１０２は、例えば、１分以上の間隔で測定を促してもよい。制御部１０２は、例えば、２０分に１回、１０分に１回、５分に１回、または１分に１回の頻度で測定を促してもよい。測定装置２０は、患者から採血された血液中のアスコルビン酸の濃度を測定し、測定結果を補充装置３０に送信する。受信部１０１は、測定装置２０から送信された測定結果を受信する。Ｓ２の工程は、「第２の工程」および「第３の工程」の一例である。
【００３７】
Ｓ３では、制御部１０２は、記憶部１０３が記憶する設定濃度と受信部１０１から受け取った測定結果とに基づいて、患者の血液中のアスコルビン酸の濃度が設定濃度に達しているか否かを判定する。設定濃度に達していない場合（Ｓ３でＮｏ）、処理はＳ４に進められる。設定濃度に達している場合（Ｓ３でＹｅｓ）、処理はＳ５に進められる。
【００３８】
Ｓ４では、制御部１０２は、押圧装置３５を駆動して、所定量の薬液３７を点滴装置１０の点滴容器１１に注入させる。上述の通り、薬液３７は点滴容器１１に貯留された輸液よりも高濃度のアスコルビン酸を含むため、この注入により点滴容器１１に貯留された輸液のアスコルビン酸の濃度を高めることができる。その後、処理はＳ２に進められる。Ｓ４の工程は、「第４の工程」の一例である。
【００３９】
Ｓ５では、患者の血液中のアスコルビン酸の濃度が設定濃度に達しているため、このまま点滴注射が継続される。Ｓ６では、規定量の輸液が患者に投与されると、点滴注射は終了する。
【００４０】
なお、点滴注射の開始直後は患者の血液中におけるアスコルビン酸の濃度が安定しないと考えられる。そのため、例えば、制御部１０２は、点滴注射の開始から一定時間（例えば、３０分）経過後にＳ２以降の処理が実行されるようにしてもよい。
【００４１】
＜第１実施形態の効果＞
第１実施形態では、点滴注射が実施されている患者から採血して、血液中のアスコルビン酸の濃度が測定される。制御部１０２は、測定結果が示す血液中のアスコルビン酸の濃度が設定濃度に達していない場合、薬液３７を点滴装置１０の点滴容器１１に注入させることで、輸液中のアスコルビン酸の濃度を高める。そのため、第１実施形態によれば、実施中の点滴注射で投与される輸液のアスコルビン酸の濃度を好適に制御できる。その結果、第１実施形態によれば、患者の血液中におけるアスコルビン酸の濃度を設定濃度以上に制御できる。
【００４２】
第１実施形態では、薬液３７を点滴容器１１に注入する際には、所定量ずつ注入する。そのため、第１実施形態によれば、輸液中のアスコルビン酸の濃度が急激に変化することを抑制できる。
【００４３】
＜第１実施形態の変形例＞
第１実施形態では、測定された血液中のアスコルビン酸の濃度が設定濃度に達していない場合、所定量の薬液３７が点滴容器１１に注入された。しかしながら、点滴容器１１に注入される薬液３７の量は所定量に限定されるわけではない。例えば、制御部１０２は、血液中のアスコルビン酸の濃度と設定濃度との差と、点滴容器１１に注入する薬液３７の量を対応付けた検量線データを記憶部１０３に記憶しておき、当該検量線データを参照して点滴容器１１に注入する薬液３７の量を決定してもよい。このような構成とすることで、患者の血液中のアスコルビン酸の濃度を速やかに設定濃度とすることができる。
【００４４】
＜第２実施形態＞
第１実施形態では、点滴注射の実施中に患者から採血して、血液中のアスコルビン酸の濃度が測定される。第２実施形態では、点滴注射の終了後に血液中のアスコルビン酸の濃度を測定する技術について説明される。
【００４５】
高濃度ビタミンＣ点滴療法では、点滴注射終了後に採血が実施され、採血された血液中におけるアスコルビン酸の濃度が計測される。アスコルビン酸は血液中において速やかに分解されるため、採血のタイミングによって測定結果が変動する。このような測定結果の変動は、高濃度ビタミンＣ点滴療法に限定されず、点滴注射の終了後から体液の採取までの経過時間によって体液中の測定対象成分の濃度が変動する場合に共通する。そこで、第２実施形態では、第１実施形態に例示される点滴注射が終了してから一定のタイミングで患者から採血を行って血液中のアスコルビン酸の濃度を測定する技術が説明される。
【００４６】
（点滴注射の実施方法）
第２実施形態に係る点滴注射の実施方法は、
前記第１実施形態に例示される点滴注射の終了を検知する第５の工程をさらに含み、
前記第２の工程では、前記点滴注射の終了を検知してから一定のタイミングで前記被投与者から前記体液が採取される。
【００４７】
第２実施形態に係る点滴注射の実施方法は、第５の工程において、点滴注射の終了を検知する。点滴注射の終了は、例えば、点滴注射の終了を検知する検知装置によって検知される。検知装置が点滴注射の終了を検知する方法には特に限定は無い。検知装置は、例えば、点滴装置のチューブ内に輸液が流れていないことを検知して、点滴注射の終了を検知
してもよい。例えば、点滴装置のチューブが光を透過する場合、検知装置は、チューブに対して光を発射し、発射した光の反射光の強度によってチューブ内を輸液が流れているか否かを判定すればよい。チューブ内を輸液が流れていない場合、検知装置は点滴注射が終了したことを検知できる。
【００４８】
点滴注射の終了が検知されると、前記第２の工程において、被投与者から体液が採取される。採取装置は、点滴注射の終了が検知されてから一定のタイミングで被投与者からの体液の採取を行う。体液は、例えば、血液である。一定のタイミングは、通知を受けた直後であってもよいし、通知を受けて一定時間経過後であってもよい。
【００４９】
第２の工程で用いられる穿刺具は、
所定方向に射出可能な穿刺部と、
前記穿刺部から前記所定方向に位置するように前記被投与者の被穿刺箇所を保持する保持部と、
前記穿刺部の射出を抑止する抑止部と、
前記点滴注射の終了を検知してから一定時間後に前記抑止部による抑止を解除して前記穿刺部を前記被穿刺箇所に向けて射出させる解除部と、を有する。
【００５０】
（穿刺部）
穿刺部は、所定方向に射出可能である。穿刺部は、例えば、その先端が針状に形成されている。穿刺部は、例えば、針状に形成された先端を所定方向に向けた状態で射出される。穿刺部を射出する仕組みには特に限定は無いが、例えば、穿刺部は弾性体の弾性力や磁石の反発力によって射出される。また、例えば、穿刺部は、穿刺具が備える射出ボタンに対する押圧操作を所定方向への運動に変換するカム機構によって射出されてもよい。
【００５１】
（保持部）
保持部は、穿刺部から所定方向に位置するように被投与者の被穿刺箇所を保持する。保持部によって被穿刺箇所が保持されることで、所定方向に射出した穿刺部は、被穿刺箇所を穿刺できる。
【００５２】
（抑止部）
抑止部は、穿刺部の射出を抑止する。抑止部が穿刺部の射出を抑止することで、体液を採取するタイミング以外での穿刺部の射出が抑制される。
【００５３】
（解除部）
解除部は、点滴注射の終了を検知してから一定のタイミングで抑止部による抑止を解除する。一定のタイミングは、点滴注射の終了を検知した直後でもよいし、点滴注射の終了を検知してから一定の時間経過後でもよい。一定のタイミングを計時する方法は、アナログ式のタイマーであってもデジタル式のタイマーであってもよい。解除部によって抑止部による抑止が解除されることで、穿刺部は所定方向に射出される。上述の通り、所定方向には保持部によって保持された被穿刺箇所があるため、射出された穿刺部は被穿刺箇所を穿刺することができる。
【００５４】
解除部は、例えば、点滴注射の終了を検知すると一定の角速度で回転するモーターと、モーターの回転軸に設けられる解除部材とを含む。一定の角速度で回転するモーターの回転によって移動する解除部材が抑止部を動かすことで抑止部による抑止が解除される。抑止部による抑止が解除されると、穿刺部は被穿刺箇所を穿刺して体液を採取する。モーターは、点滴注射の終了の検知を契機に一定の角速度で回転するため、点滴注射の終了から体液の採取までの時間が一定となる。換言すれば、一定の角速度で回転するモーターは、アナログ式のタイマーの一例ということができる。
【００５５】
解除部は、ソレノイドアクチュエータによって抑止部を移動することで、穿刺部の抑止を解除してもよい。ソレノイドアクチュエータは、点滴注射の終了の検知を契機として駆動を開始する。ソレノイドアクチュエータは駆動開始の信号を受信するとすぐに駆動するため、解除部としてソレノイドアクチュエータを採用した場合でも、点滴注射の終了から体液の採取までの時間が一定となる。換言すれば、信号を受信してすぐに駆動するソレノイドアクチュエータは、デジタル式のタイマーの一例ということができる。
【００５６】
上述した第２実施形態に係る点滴注射の実施方法について、以下図面を参照してさらに詳述する。図５は、第２実施形態に係る点滴システム１ａの構成の一例を示す図である。点滴システム１ａは、第１実施形態に係る点滴システム１の構成に対して検知装置５０が追加される。また、第２実施形態におけるチューブ１２ａは、光を透過する部材で形成される。
【００５７】
検知装置５０は点滴注射の終了を検知する装置である。図６は、検知装置５０の構成の一例を示す図である。検知装置５０は、制御基板５１、無線通信モジュール５２、Light Emitting Diode（ＬＥＤ）５３ａ、ＬＥＤ５３ｂ、受光部５４ａ、受光部５４ｂ、アラーム５５および保持部材５６、５６を備える。
【００５８】
保持部材５６、５６は、チューブ１２ａ内の輸液の流動を阻害しないようにチューブ１２ａを保持する。無線通信モジュール５２は、無線による通信が可能なモジュールである。制御基板５１は、無線通信モジュール５２を介して、採取装置４０と通信可能である。制御基板５１は、ＣＰＵおよびメモリを有する。制御基板５１は、ＣＰＵがメモリに記憶されたプログラムを実行することで、所望の処理を実現する。
【００５９】
制御基板５１上には、ＬＥＤ５３ａ、ＬＥＤ５３ｂ、受光部５４ａ、受光部５４ｂおよびアラーム５５が設けられる。以下、ＬＥＤ５３ａとＬＥＤ５３ｂとを区別しないときはＬＥＤ５３と称し、受光部５４ａと受光部５４ｂとを区別しないときは受光部５４と称する。ＬＥＤ５３と受光部５４はチューブ１２ａに沿って配置され、ＬＥＤ５３ａと受光部５４ａとのペアは、ＬＥＤ５３ｂと受光部５４ｂとのペアよりもチューブ１２ａの上流側に配置される。ここで、チューブ１２ａの上流側は点滴容器１１が接続される側であり、チューブ１２ａの下流側は注射針１３が接続される側であるものとする。
【００６０】
ＬＥＤ５３は、出射する光の光軸がチューブ１２ａに向くように配置される。受光部５４は、その光を受光する面がチューブ１２ａに向くように配置される。ＬＥＤ５３が光を出射すると、出射した光の少なくとも一部はチューブ１２ａによって反射される。受光部５４ａはＬＥＤ５３ａによって出射された光の反射光を受光する位置に設けられ、受光部５４ｂはＬＥＤ５３ｂによって出射された光の反射光を受光する位置に設けられる。チューブ１２ａによって反射された反射光の強度は、チューブ１２ａ内を輸液が流れているときと流れていないときとで異なる。そのため、制御基板５１のＣＰＵは、受光部５４が受光した反射光の強度を基に、チューブ１２ａ内に輸液が流れているか否かを判定できる。
【００６１】
判定においては、例えば、チューブ１２ａ内に輸液が流れているときの反射光の強度の強度範囲をメモリにあらかじめ記憶しておく。そして、制御基板５１のＣＰＵは、受光部５４が受光した反射光の強度が記憶した強度範囲外である場合にチューブ１２ａ内に輸液が流れていないと判定してもよい。また、例えば、チューブ１２ａ内に輸液が流れていないときの反射光の強度の強度範囲をメモリにあらかじめ記憶しておく。そして、制御基板５１のＣＰＵは、受光部５４が受光した反射光の強度が記憶した強度範囲内である場合にチューブ１２ａ内に輸液が流れていないと判定してもよい。
【００６２】
制御基板５１のＣＰＵは、チューブ１２ａ内を輸液が流れていないと判定した場合に、点滴注射が終了したと判定する。制御基板５１のＣＰＵは、点滴注射の終了を検知してから一定のタイミングで、無線通信モジュール５２を介して、採取装置４０に血液の採取の開始を指示する。さらに、制御基板５１のＣＰＵは、点滴注射の終了を検知すると、アラーム５５からアラーム音を出力して点滴注射の終了を周囲に報知する。
【００６３】
採取装置４０は、上述の通り、穿刺具によって患者の指先を穿刺することで血液を採取する。図７から図９は、採取装置４０の構成の一例を示す図である。図７は、採取装置４０の全体概略図の一例である。図８は、図７の丸印Ａの部分を平面視した図の一例である。図９は、図７の丸印Ｂの部分を平面視した図の一例である。以下、図７から図９を参照して、採取装置４０の構成の一例について説明する。
【００６４】
採取装置４０は、クリップ保持部材４１、モーター制御部４２、ステッピングモーター４３、ストッパー解除部材４４、ストッパー部材４５、圧縮コイルバネ４６、基台４６ａ、穿刺部材４７および収容筒４８を備える。
【００６５】
クリップ保持部材４１は、第１保持部材４１ａ、第２保持部材４１ｂおよびねじりコイルバネ４１ｃを含む。また、図８を参照すると理解できるように、第２保持部材４１ｂの一端は平面視においてＵ字状に形成された凹部４１ｂ１が形成されている。第２保持部材４１ｂは、収容筒４８を凹部４１ｂ１に挟み込むことで、収容筒４８を保持できる。クリップ保持部材４１では、ねじりコイルバネ４１ｃの弾性力によって、第１保持部材４１ａと第２保持部材４１ｂとは閉じる方向に力が加わる。クリップ保持部材４１は、ねじりコイルバネ４１ｃの弾性力によって、第１保持部材４１ａと第２保持部材４１ｂとの間に挟んだ指Ｆ１を凹部４１ｂ１に保持された収容筒４８の開口部４８ａに押し当てた状態で挟持できる。クリップ保持部材４１は、「保持部」の一例である。指Ｆ１は、「被穿刺箇所」の一例である。
【００６６】
収容筒４８は、筒状に形成された部材である。収容筒４８の底部には基台４６ａが設けられる。収容筒４８の内部には、穿刺部材４７および圧縮コイルバネ４６が設けられる。圧縮コイルバネ４６の一端は基台４６ａの上面に固定され、他端は穿刺部材４７の底面に固定される。収容筒４８の上方には開口部４８ａが設けられる。穿刺部材４７は、先端が針状に形成された部材であり、針によって指Ｆ１を穿刺することで採血を行う部材である。穿刺部材４７は、圧縮コイルバネ４６上に設けられる。ストッパー部材４５は、上端部４５ａが圧縮コイルバネ４６を圧縮した状態で穿刺部材４７を上方から押さえて穿刺部材４７の上方への移動を規制し、下端部４５ｂはストッパー解除部材４４と接触可能な位置に達する。すなわち、ストッパー部材４５は、圧縮コイルバネ４６によって付勢された状態の穿刺部材４７を上方から押さえて穿刺部材４７の射出を抑止する。ストッパー部材４５は、「抑止部」の一例である。
【００６７】
モーター制御部４２は、検知装置５０から採血の開始を指示されると、ステッピングモーター４３を駆動する。ステッピングモーター４３は、モーター制御部４２からの指示によって、例えば、１／４回転ずつ一定の角速度で回転するモーターである。ステッピングモーター４３の回転軸には、ストッパー解除部材４４が設けられる。
【００６８】
図９に例示されるように、ステッピングモーター４３の回転によってストッパー解除部材４４が回転し、回転するストッパー解除部材４４によってストッパー部材４５の下端部４５ｂが押される。ストッパー部材４５は、下端部４５ｂがストッパー解除部材４４によって押されると、上端部４５ａが穿刺部材４７から外れることでストッパー部材４５による穿刺部材４７の射出の規制が解除される。規制が解除されると、穿刺部材４７は、圧縮コイルバネ４６の弾性力によって、収容筒４８の内側面に沿って射出される。射出された
穿刺部材４７が、収容筒４８の開口部４８ａを介して指Ｆ１を穿刺することで、採血が行われる。
【００６９】
射出される穿刺部材４７の移動範囲は、穿刺部材４７が指Ｆ１を穿刺可能であり、かつ、指Ｆ１を穿刺された患者が感じる痛みが少なくなるような範囲に規制される。穿刺部材４７の移動範囲の規制は、圧縮コイルバネ４６の長さが調整されることで実現されてもよいし、収容筒４８の上面に穿刺部材４７の移動範囲を規制する規制部材を付してもよい。
【００７０】
ステッピングモーター４３が一定の角速度で回転するため、検知装置５０から血液の採取の開始を指示されてから採血までの時間が一定となる。採取装置４０は、「採取部」の一例である。モーター制御部４２、ステッピングモーター４３およびストッパー解除部材４４は、「解除部」の一例である。採取装置４０によって採血された血液中のアスコルビン酸の濃度は、例えば、バイオセンサを用いた測定装置２０によって測定される。
【００７１】
＜処理ブロック構成＞
図１０は、第２実施形態に係る検知装置５０の処理ブロックの一例を示す図である。図１０に例示される各処理ブロックは、制御基板５１のＣＰＵがメモリに記憶されたプログラムを実行することで実現される。ただし、図１０に例示される処理ブロックの少なくとも一部はハードウェア回路を含んでもよい。以下、図１０を参照して、検知装置５０の処理ブロックについて説明する。
【００７２】
記憶部５０３は、例えば、チューブ１２ａ内に輸液が流れているときの反射光の強度の強度範囲を示す情報を記憶する。記憶部５０３に記憶される情報は、例えば、あらかじめ実験等で決定すればよい。
【００７３】
制御部５０１は、検知部５０２から点滴注射が終了したことを通知されると、採取装置４０に対して、患者の血液の採取を開始させるとともに、アラーム５５にアラーム音を出力させる。
【００７４】
検知部５０２は、点滴注射の終了を検知する。検知部５０２は、例えば、ＬＥＤ５３および受光部５４を制御する。検知部５０２は、ＬＥＤ５３に光を所定の周期で出射させる。検知部５０２は、受光部５４が受光したチューブ１２ａからの反射光の強度を検出する。検知部５０２は、検出した反射光の強度と記憶部５０３に記憶される情報とに基づいて、点滴注射が終了したことを検知する。ここで、検知部５０２は、受光部５４ａが受光した反射光の強度と受光部５４ｂが受光した反射光の強度のいずれもが記憶部５０３に記憶される情報に基づいて点滴注射が終了したことを示している場合に、点滴注射が終了したと検知する。検知部５０２は、点滴注射が終了したことを検知すると、その旨を制御部５０１に通知する。検知部５０２は、「検知部」の一例である。
【００７５】
図１１は、第２実施形態に係る点滴システム１ａの処理フローの一例を示す図である。以下、図１１を参照して、第２実施形態に係る点滴システム１ａの処理フローの一例について説明する。
【００７６】
Ｓ１１では、点滴注射が開始される。点滴注射が開始されるときには、図７に例示するように、採取装置４０のクリップ保持部材４１によって、患者の指Ｆ１が収容筒４８の開口部４８ａに押し当てられた状態で挟持される。Ｓ１１の処理は、「第１の工程」の一例である。
【００７７】
Ｓ１２では、点滴注射が終了したか否かが判定される。検知部５０２は、ＬＥＤ５３に光を出射させ、受光部５４が受光したチューブ１２ａからの反射光の強度を検出する。検
知部５０２は、検出した反射光の強度と記憶部５０３に記憶された情報とに基づいて、点滴注射が終了しているか否かを判定する。点滴注射が終了している場合（Ｓ１２でＹＥＳ）、処理はＳ１３に進められる。点滴注射が終了していない場合（Ｓ１２でＮＯ）、検知部５０２は、所定時間経過後、処理をＳ１２に戻す。Ｓ１２の処理は、「第５の工程」の一例である。
【００７８】
Ｓ１３では、制御部５０１は、検知部５０２から点滴終了の通知を受信する。Ｓ１４では、点滴終了を通知された制御部５０１は、採取装置４０に対して、採血を開始させる。採取装置４０は、上述したように、点滴終了の検知から一定のタイミングで穿刺部材４７によって患者の指Ｆ１を穿刺する。Ｓ１５では、穿刺された患者の指Ｆ１から採血される。Ｓ１４からＳ１５の処理は、「第２の工程」の一例である。Ｓ１６では、例えば、バイオセンサを用いた測定装置２０によって、血中のアスコルビン酸の濃度が測定される。Ｓ１６の処理は、「第３の工程」の一例である。測定装置２０は「測定部」の一例である。
【００７９】
＜第２実施形態の効果＞
第２実施形態では、検知部５０２から点滴注射の終了を通知された制御部５０１は、通知を受信してから一定のタイミングで、採取装置４０に採血の開始を指示する。制御部５０１から指示された採取装置４０は、一定の回転速度で回転するステッピングモーター４３の回転軸に設けられたストッパー解除部材４４によってストッパー部材４５による規制を解除する。規制が解除された穿刺部材４７が指Ｆ１を穿刺することで、採血が行われる。その結果、点滴注射の終了を通知されてから採血開始の指示までの時間が一定であり、採血開始の指示から実際に採血されるまでの時間も一定である。そのため、第２実施形態によれば、点滴終了から採血までの時間を一定にすることができる。
【００８０】
第２実施形態では、受光部５４ａが検出した反射光の強度と受光部５４ｂが検出した反射光の強度のいずれもが記憶部５０３に記憶される情報に基づいて点滴注射が終了したことを示している場合に、点滴注射が終了したと検知する。第２実施形態では、２つの受光部５４によって点滴注射の終了を二重に確認することで、実際には点滴注射が終了していないにもかかわらず終了したと誤検知される可能性が抑制される。
【００８１】
＜第２実施形態の変形例＞
第２実施形態では、受光部５４がチューブ１２ａによる反射光の強度を測定して点滴注射の終了を検知する。しかしながら、点滴注射の終了を検知する方法は、これに限定されない。例えば、受光部５４とＬＥＤ５３とをチューブ１２ａを挿んで対向して配置し、ＬＥＤ５３が出射した光のチューブ１２ａを透過した透過光を受光部５４が受光する。検知部５０２は、受光部５４に受光した透過光の強度を検出させ、検出させた透過光の強度に基づいて点滴注射の終了を検知すればよい。
【００８２】
第２実施形態では、穿刺部材４７は圧縮コイルバネ４６の弾性力によって射出された。しかしながら、穿刺部材４７を射出する手段は、圧縮コイルバネ４６に限定されない。穿刺部材４７を射出する手段は、例えば、板バネやゴム等の弾性体による弾性力によって射出されてもよい。また、穿刺部材４７は、例えば、穿刺部材４７と基台４６ａとが磁化して互いに同じ極（例えば、Ｓ極とＳ極）が対向しており、磁石の反発力によって穿刺部材４７が射出されてもよい。
【００８３】
穿刺部材４７は、例えば、弾性力や反発力に替えて、カム機構によって射出されてもよい。図１２Ａおよび図１２Ｂは、カム機構１４６によって穿刺部材４７を射出する構成の一例を示す図である。カム機構１４６は、カム１４６ａと従動節１４６ｂとを含む。従動節１４６ｂの上端には穿刺部材４７が設けられ、下端はカム１４６ａと接する。カム１４６ａとボタン１４９とは、互いに接触するように配置されている。図１２Ａの状態におい
てボタン１４９が押されると、ボタン１４９との間の摩擦力によってカム１４６ａが回転する。図１２Ｂに例示するように、回転するカム１４６ａによって従動節１４６ｂが上方に移動することで、穿刺部材４７を上方に射出させることができる。
【００８４】
第２実施形態では、一定の回転速度で回転するステッピングモーター４３の回転軸に設けられたストッパー解除部材４４によってストッパー部材４５による規制を解除することで、検知装置５０から採血の開始を指示されてから採血までの時間が一定とした。しかしながら、検知装置５０から採血の開始を指示されてから採血までの時間が一定とする機構は、このような機構に限定されない。例えば、ストッパー部材がソレノイドアクチュエータによって駆動されてもよい。
【００８５】
図１３Ａおよび図１３Ｂは、ソレノイドアクチュエータ４３ａによってストッパー部材１４５を駆動する構成の一例を示す図である。検知装置５０から血液の採取の開始を指示されるまでの間は、図１３Ａに例示されるように、ストッパー部材１４５は穿刺部材４７を上方から押さえて穿刺部材４７の上方への移動を規制する。検知装置５０から血液の採取の開始を指示されると、ソレノイドアクチュエータ４３ａは、図１３Ｂに例示されるように、規制を解除する方向にストッパー部材１４５を移動する。ソレノイドアクチュエータ４３ａは検知装置５０から採血の指示を受信するとすぐに動作するため、図１３Ａおよび図１３Ｂに例示されるような機構によっても、検知装置５０から採血の開始を指示されてから採血までの時間を一定とすることができる。なお、図１２Ａおよび図１２Ｂに例示されるように穿刺部材４７がカム機構１４６によって射出される場合、ソレノイドアクチュエータ４３ａによってカム１４６ａを回転させることで穿刺部材４７を上方に射出させてもよい。
【００８６】
以上で開示した実施形態や変形例はそれぞれ組み合わせる事ができる。例えば、第１実施形態と第２実施形態とを組み合わせることで、図４のＳ２における採血が一定のタイミングで実施されるようにしてもよい。例えば、制御部５０１が採取装置４０を所定時間が経過する毎に、所定時間の経過から一定のタイミングで駆動して指Ｆ１を穿刺させることで点滴実施中における採血が行われてもよい。一定のタイミングは、所定時間が経過した直後であってもよいし、所定時間が経過してから一定時間経過後であってもよい。制御部５０１がこのような処理を実行することで、点滴実施中における採血の間隔を第１実施形態よりも高い精度で一定とすることができる。その結果、血液中において速やかに分解されるアスコルビン酸の測定結果の変動が抑制される。
【００８７】
<<コンピュータが読み取り可能な記録媒体>>
コンピュータその他の機械、装置（以下、コンピュータ等）に上記いずれかの機能を実現させる情報処理プログラムをコンピュータ等が読み取り可能な記録媒体に記録することができる。そして、コンピュータ等に、この記録媒体のプログラムを読み込ませて実行させることにより、その機能を提供させることができる。
【００８８】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、Compact Disc Read Only Memory（ＣＤ−ＲＯＭ）、Compact Disc - Recordable（ＣＤ−Ｒ）、Compact Disc - ReWriterable（ＣＤ−ＲＷ）、Digital Versatile Disc（ＤＶＤ）、ブ
ルーレイディスク（ＢＤ）、Digital Audio Tape（ＤＡＴ）、８ｍｍテープ、フラッシュメモリなどのメモリカード等がある。また、コンピュータ等に固定された記録媒体としてハードディスクやＲＯＭ等がある。
【符号の説明】
【００８９】
１、１ａ・・・点滴システム
１０・・・点滴装置
１１・・・点滴容器
１２、１２ａ、３１・・・チューブ
１３・・・注射針
１４・・・医療用テープ
２０・・・測定装置
３０・・・補充装置
３２、５１・・・制御基板
３３ａ、５２・・・無線通信モジュール
３３ｂ・・・ＲＳ−２３２Ｃモジュール
３４・・・ディスプレイ
３５・・・押圧装置
３５ａ、４３・・・ステッピングモーター
３５ｂ、３５ｃ・・・歯車
３５ｄ・・・ネジ軸
３５ｅ・・・腕部
３６・・・注入器
３６ａ・・・シリンジ
３６ｂ・・・プランジャー
３６ｂ１、４５ａ・・・上端部
３６ｃ・・・ガスケット
３６ｄ・・・接続口
３７・・・薬液
４０・・・採取装置
４１・・・クリップ保持部材
４１ａ・・・第１保持部材
４１ｂ・・・第２保持部材
４１ｂ１・・・凹部
４１ｃ・・・ねじりコイルバネ
４２・・・モーター制御部
４３ａ・・・ソレノイドアクチュエータ
４４・・・ストッパー解除部材
４５、１４５・・・ストッパー部材
４５ｂ・・・下端部
４６・・・圧縮コイルバネ
４６ａ・・・基台
４７・・・穿刺部材
４８・・・収容筒
４８ａ・・・開口部
５０・・・検知装置
５３、５３ａ、５３ｂ・・・ＬＥＤ
５４、５４ａ、５４ｂ・・・受光部
５５・・・アラーム
５６・・・保持部材
１０１・・・受信部
１０２、５０１・・・制御部
１０３、５０３・・・記憶部
５０２・・・検知部
１４６・・・カム機構
１４６ａ・・・カム
１４６ｂ・・・従動節
１４９・・・ボタン
【図１】
2019107446.tif 000003
【図２】
2019107446.tif 000004
【図３】
2019107446.tif 000005
【図４】
2019107446.tif 000006
【図５】
2019107446.tif 000007
【図６】
2019107446.tif 000008
【図７】
2019107446.tif 000009
【図８】
2019107446.tif 000010
【図９】
2019107446.tif 000011
【図１０】
2019107446.tif 000012
【図１１】
2019107446.tif 000013
【図１２Ａ】
2019107446.tif 000014
【図１２Ｂ】
2019107446.tif 000015
【図１３Ａ】
2019107446.tif 000016
【図１３Ｂ】
2019107446.tif 000017